Podtech/llm-jp-corpus-v4-ja_patent huggingface dataset:
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
ステビオールグリコシドの生成のための全細胞触媒であって、細胞内に
（ａ）発現されるとＵＤＰ−グリコシルトランスフェラーゼ（ＵＧＴ）酵素が宿主細胞の表面に付着するように提示ポリペプチドがＵＧＴ酵素に融合されている融合タンパク質をコードする少なくとも１つの第１のヌクレオチド配列であって、前記融合タンパク質は、ＨＶＩ  ＵＧＴ（配列番号７）が細胞壁タンパク質ＧＣＷ６１（配列番号５）に融合されている配列番号１に記載されるＨＶＩ−ＧＣＷ６１融合タンパク質、または配列番号１の融合タンパク質に対して少なくとも８０％の同一性を有する配列番号１の融合タンパク質の機能的変異体である、少なくとも１つの第１のヌクレオチド配列と、
（ｂ）細胞内スクロース合成酵素（ＳＵＳ）をコードする少なくとも１つの第２の配列と、
を含むように少なくとも１つの発現カセットによって形質転換された宿主細胞である、全細胞触媒。
【請求項２】
前記ＳＵＳが、シロイヌナズナ由来のＳＵＳ、ヤエナリ由来のＳＵＳおよびそれらの機能的相同体のうちの少なくとも１つを含む、請求項１に記載の全細胞触媒。
【請求項３】
前記ＳＵＳが、シロイヌナズナスクロース合成酵素１；シロイヌナズナスクロース合成酵素３およびヤエナリスクロース合成酵素（ｍｂＳＵＳ１）のうちの少なくとも１つを含む、請求項２に記載の全細胞触媒。
【請求項４】
前記宿主細胞が、アルクスラ（Ａｒｘｕｌａ）種、カンジダ種、デバリオミセス種、ハンゼヌラ種、クルイベロミセス種、ムコール種、パキソレン種、ファフィア種、ピキア種、ロドスポリジウム種、サッカロマイセス種、サッカロミコプシス種、シュワニオミセス（Ｓｃｗａｎｎｉｏｍｙｃｅｓ）種、トリコスポロン種、トルロプシス種、ヤロウィア種、及びチゴサッカロマイセス種からなる群より選択される酵母細胞である、請求項１〜３のいずれか１項に記載の全細胞触媒。
【請求項５】
前記酵母細胞が、アルクスラ・アデニニボランス、カンジダ・アルビカンス、カンジダ・ボイジニイ、カンジダ・ファマータ、カンジダ・マルトーサ、カンジダ・トロピカリス、カンジダ・ユティリス、カンジダ・シェハタエ、ハンゼヌラ・ポリモルファ、クリベロマイセス・マルキシアヌス、クリベロマイセス・ラクチス、パキソレン・タンノフィラス、ファフィア・ロドチーマ、ピキア・ギリエルモンデイ（Ｐｉｃｈｉａ  ｇｕｉｌｌｅｒｍｏｎｄｉｉ）、ピキア・メタノリカ、ピキア・パストリス、ロドスポリジウム・トルロデス、サッカロマイセス・セレビシエ、サッカロマイセス・セレビシエの変異体のジアスタチクス、サッカロマイセス・ブラウディ、サッカロマイセス・ピリフォルミス、サッカロマイセス・バヤヌス、サッカロミコプシス・フィブリゲラ、シュワニオミセス・カステリ、シュワニオミセス・オクシデンタリス、トリコスポロン・クタネウム、ヤロウィア・リポリティカ、及びチゴサッカロミセス・ロウキシからなる群より選択される、請求項４に記載の全細胞触媒。
【請求項６】
前記宿主細胞がピキア・パストリス細胞である、請求項１〜６のいずれか１項に記載の全細胞触媒。
【請求項７】
前記宿主細胞が、前記第１および第２のヌクレオチド配列のそれぞれを２コピー以上含むように形質転換されている、請求項１〜６のいずれか１項に記載の全細胞触媒。
【請求項８】
前記宿主細胞が、５コピーの配列番号２に記載されるＨＶ１−ＧＣＷ６１コード配列及び２コピーの配列番号１２に記載されるｍｂＳＵＳ１コード配列を含む、請求項７に記載の全細胞触媒。
【請求項９】
第１の全細胞触媒と第２の全細胞触媒とを含む全細胞触媒組成物であって、
前記第１の全細胞触媒が、請求項８の全細胞触媒であり、
前記第２の全細胞触媒が、４コピーの配列番号４に記載されるＵＧＴ７６Ｇ１−ＧＣＷ６１コード配列と２コピーの配列番号１２に記載されるｍｂＳＵＳ１コード配列とを含む形質転換されたピキア・パストリス宿主細胞である、
全細胞触媒組成物。
【請求項１０】
開始ステビオールグリコシド基質から所望のステビオールグリコシドを生成する方法であって、前記開始ステビオールグリコシド基質とスクロースとＵＤＰとＵＤＰ−グルコースとを含む培地中で請求項１〜８のいずれか１項に記載の全細胞触媒または請求項９の全細胞触媒組成物のいずれかを、前記培地中で前記開始ステビオールグリコシド基質が前記所望のステビオールグリコシドに変換されるような時間、インキュベートすることを含む、方法。
【請求項１１】
前記培地から前記所望のステビオールグリコシドを分離することをさらに含む、請求項１０に記載の方法。
【請求項１２】
前記所望のステビオールグリコシドが、レバウジオシドＫＡ、レバウジオシドＡ、レバウジオシドＤ、レバウジオシドＥ、レバウジオシドＭおよびそれらの任意の組み合わせからなる群より選択され、
前記方法が、ルブソシド、レバウジオシドＫＡ、ステビオシド、レバウジオシドＡ、レバウジオシドＤ、レバウジオシドＥおよびそれらの任意の組み合わせからなる群より選択される開始ステビオールグリコシド基質をグリコシル化することを含む、
請求項１０または１１に記載の方法。
【請求項１３】
請求項８の全細胞触媒が以下の変換のうちの１つを実行するために使用される、請求項１２に記載の方法：
（ａ）前記開始ステビオールグリコシド基質がレバウジオシドＡであり、前記方法によって生成される前記所望のステビオールグリコシドがレバウジオシドＤである；
（ｂ）前記開始ステビオールグリコシド基質がステビオシドであり、前記方法によって生成される前記所望のステビオールグリコシドがレバウジオシドＥである；
（ｃ）前記開始ステビオールグリコシド基質がレバウジオシドＫＡであり、前記方法によって生成される前記所望のステビオールグリコシドがレバウジオシドＥである；
（ｄ）前記開始ステビオールグリコシド基質がルブソシドであり、前記方法によって生成される前記所望のステビオールグリコシドがレバウジオシドＫＡである；または
（ｅ）前記開始ステビオールグリコシド基質がルブソシドであり、前記方法によって生成される前記所望のステビオールグリコシドがレバウジオシドＥである。
【請求項１４】
請求項８の全細胞触媒が使用され、前記開始ステビオールグリコシド基質がステビオシド、レバウジオシドＡまたはそれらの任意の組み合わせを含み、前記方法によって生成される前記所望のステビオールグリコシドがレバウジオシドＭである、請求項１２に記載の方法。
【請求項１５】
請求項９の全細胞触媒が使用され、前記開始ステビオールグリコシド基質がステビオシド、レバウジオシドＡまたはそれらの任意の組み合わせを含み、前記方法によって生成される前記所望のステビオールグリコシドがレバウジオシドＭである、請求項１２に記載の方法。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
人の外皮下に配置されたタトゥーまたは着色画像を輝かせる方法であって、結晶質研磨剤が永続的に結合された処理先端部を、前記外皮の表面に接触するように配置し、前記外皮の表面上で移動させることによって、前記タトゥーまたは前記着色画像を覆う前記外皮の表面にマイクロダーマブレーションを行う工程を含む方法。
【請求項２】
皮膚表面に前記マイクロダーマブレーションを行う前、その間、またはその後に、前記皮膚表面に血清を塗布する工程をさらに含むことを特徴とする請求項１に記載の方法。
【請求項３】
前記血清が、少なくとも、イソドデカン、フェニルトリメチコン、パルミチン酸イソステアリル、ジエチコーン、酸化トウモロコシ油、酢酸トコフェリル（ビタミンＥ）、グリシンソジャ（ダイズ）種子抽出物、セラミド（Ｓｐｈｉｇｏｌｉｐｉｄｓ）、シクロペンタシロキサン、ジメチコノール、Ｃ１２−１５、ベノホ酸アルキル、オリーブ、果実油、香料、アルガニア・スピノーザ・カーネル・オイル、Ｈｅｌａｎｔｈｕｓ  Ａｎｎｕｕｓ（ヒマワリ）種油、パッションフルーツ種子油、Ｃｏｐａｉｆｅｒａ  Ｏｆｆｉｃｉｎａｌｓ（バルサム・コパイバ）樹脂、クロロキシレノール、アボベンゾン、オクティノクセイト、Ｏｃｔｉｓａｌａｔｅ、オクトクリレン、オキシベンゾン、パラフィン、トコフェロール、ミネラルオイル、ラノリン、ジメチコーン、および蜜蝋のいずれかを含むことを特徴とする請求項２に記載の方法。
【請求項４】
人の外皮下に形成されたタトゥーまたは着色画像を輝かせる方法であって、
皮膚の外皮の表面に接触するための処置先端部を有する装置であって、前記処置先端部の表面に永続的に結合された結晶質研磨材を有する装置を準備する工程と、
前記処置先端部を前記タトゥーまたは前記着色画像を覆う皮膚の外皮の領域で継続的に移動させる間に、前記処置先端部に結合された前記結晶質研磨材が前記皮膚領域における前記外皮の表面の一部分を除去するように、前記処置先端部の表面に結合した前記結晶質研磨材を前記タトゥーまたは前記着色画像を覆う前記皮膚の外皮の表面に接触させる工程と、を含むことを特徴とする方法。
【請求項５】
前記装置がさらに真空発生源を備え、
同時に前記皮膚領域に真空を発生させる工程をさらに含むことを特徴とする請求項４に記載の方法。
【請求項６】
前記領域の前記表面の除去の前、実行中または後に、前記表面に血清を塗布する工程をさらに含むことを特徴とする請求項４に記載の方法。
【請求項７】
前記装置が、前記血清を移送するための構造または装置をさらに含む、請求項６に記載の方法。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
配列番号１〜配列番号１８のいずれか１つのアミノ酸配列、又はその変異体を含む単離された抗体又は抗体フラグメント。
【請求項２】
サルモネラに特異的に結合する、請求項１に記載の抗体又は抗体フラグメント。
【請求項３】
前記サルモネラの鞭毛に特異的に結合する、請求項２に記載の抗体又は抗体フラグメント。
【請求項４】
（ｉ）ＧＲＸ１ＦＳＸ２ＫＰ（配列番号３７）のアミノ酸配列を含む相補性決定領域（ＣＤＲ）１と、
（ｉｉ）ＡＳＸ３ＴＧＶＳＴ（配列番号３８）のアミノ酸配列を含むＣＤＲ２と、
（ｉｉｉ）ＡＧＴＸ４ＲＴＬＷＧＳＫＷＲＤＸ５Ｘ６ＥＹＥＹ（配列番号３９）のアミノ酸配列を含むＣＤＲ３と、
（ここで、Ｘ１はＴ又はＳであり、Ｘ２はＶ又はＫであり、Ｘ３はＦ又はＹであり、Ｘ４はＴ又はＬであり、Ｘ５はＶ又はＲであり、Ｘ６はＬ又はＲである）を含む、サルモネラに結合する単離された抗体又は抗体フラグメント。
【請求項５】
（ｉ）ＧＬＤＦＳＳＹＡ（配列番号４０）のアミノ酸配列を含むＣＤＲ１と、
（ｉｉ）ＩＳＲＦＧＧＲＬ（配列番号４１）のアミノ酸配列を含むＣＤＲ２と、
（ｉｉｉ）ＡＡＤＲＲＳＧＬＧＴＳＫＥＹＤＹ（配列番号４２）のアミノ酸配列を含むＣＤＲ３と、
を含む、サルモネラに結合する単離された抗体又は抗体フラグメント。
【請求項６】
（ｉ）ＧＩＩＦＳＩＮＡ（配列番号４３）のアミノ酸配列を含むＣＤＲ１と、
（ｉｉ）ＩＳＡＹＤＨＴ（配列番号４４）のアミノ酸配列を含むＣＤＲ２と、
（ｉｉｉ）ＮＶＤＥＩＲＫＦ（配列番号４５）のアミノ酸配列を含むＣＤＲ３と、
を含む、サルモネラに結合する単離された抗体又は抗体フラグメント。
【請求項７】
（ｉ）ＧＲＳＦＳＬＹＧ（配列番号４６）のアミノ酸配列を含むＣＤＲ１と、
（ｉｉ）ＩＳＧＳＧＬＡＴＳ（配列番号４７）のアミノ酸配列を含むＣＤＲ２と、
（ｉｉｉ）ＡＱＲＷＴＳＧＴＩＡＲＡＴＧＥＹＧＹ（配列番号４８）のアミノ酸配列を含むＣＤＲ３と、
を含む、サルモネラに結合する単離された抗体又は抗体フラグメント。
【請求項８】
（ｉ）ＧＳＩＦＳＧＤＡ（配列番号４９）のアミノ酸配列を含むＣＤＲ１と、
（ｉｉ）ＩＧＫＥＧＤＴ（配列番号５０）のアミノ酸配列を含むＣＤＲ２と、
（ｉｉｉ）ＡＴＦＥＥＲＰＱＰＳＹＶＹ（配列番号５１）のアミノ酸配列を含むＣＤＲ３と、
を含む、サルモネラに結合する単離された抗体又は抗体フラグメント。
【請求項９】
ペプシン、トリプシン、及びキモトリプシンからなる群から選択される１以上の消化酵素に対する寛容について改変された、請求項１〜８のいずれか一項に記載の抗体又は抗体フラグメント。
【請求項１０】
検出可能な標識を更に含む、請求項１〜９のいずれか一項に記載の抗体又は抗体フラグメント。
【請求項１１】
請求項１〜１０のいずれか一項に記載の抗体又は抗体フラグメントをコードする核酸分子。
【請求項１２】
請求項１１に記載の核酸分子を含む、宿主細胞。
【請求項１３】
請求項１〜１０のいずれか一項に記載の抗体又は抗体フラグメントを含む、バクテリオファージ。
【請求項１４】
請求項１１に記載の核酸分子を含む、バクテリオファージ。
【請求項１５】
動物又は動物環境においてサルモネラの存在を減少させる方法であって、該動物に請求項１〜１０のいずれか一項に記載の抗体又は抗体フラグメントを投与することを含む、方法（但し、該動物は非ヒト動物である）。
【請求項１６】
前記動物に抗生物質、バクテリオシン、又はサルモネラに対して有効な他の植物若しくは動物に由来する化合物を投与することを更に含む、請求項１５に記載の方法。
【請求項１７】
前記動物に、請求項１〜１０のいずれか一項に記載の抗体又は抗体フラグメントとともに、任意にプロバイオティクス系に同時発現又は同時含有される、競合細菌を投与することを更に含む、請求項１５に記載の方法。
【請求項１８】
前記抗体又は抗体フラグメントが前記動物に経口投与される、請求項１５〜１７のいずれか一項に記載の方法。
【請求項１９】
前記動物がニワトリである、請求項１５〜１８のいずれか一項に記載の方法。
【請求項２０】
前記ニワトリが産卵用の雌鶏又はブロイラー鶏である、請求項１９に記載の方法。
【請求項２１】
前記動物環境が養鶏場である、請求項１５〜２０のいずれか一項に記載の方法。
【請求項２２】
動物環境へのサルモネラの導入を減少又は予防する方法であって、新入動物を該動物環境に導入する前に、該新入動物に請求項１〜１０のいずれか一項に記載の抗体又は抗体フラグメントを投与することを含む、方法（但し、該動物は非ヒト動物である）。
【請求項２３】
サルモネラに感染した非ヒト被験体を治療する方法であって、該被験体に請求項１〜１０のいずれか一項に記載の抗体又は抗体フラグメントを投与することを含む、方法。
【請求項２４】
前記被験体にサルモネラに対して有効な抗生物質を投与することを更に含む、請求項２３に記載の方法。
【請求項２５】
前記被験体が、ニワトリ、ウシ、又はヒツジからなる群から選択される家畜動物である、請求項２３又は２４に記載の方法。
【請求項２６】
請求項１〜１０のいずれか一項に記載の抗体又は抗体フラグメントと、
薬学的に許容可能な賦形剤と、
を含む、サルモネラ感染症を治療するのに使用される製剤。
【請求項２７】
サルモネラ感染症の治療を必要とする非ヒト被験体においてサルモネラ感染症を治療するための、請求項１〜１０のいずれか一項に記載の抗体又は抗体フラグメントの使用。
【請求項２８】
試料中のサルモネラを検出する方法であって、
該試料と、請求項１〜１０のいずれか一項に記載の抗体又は抗体フラグメントとを接触させることと、
結合した抗体又は抗体フラグメントの存在を検出することと、
を含む、方法。
【請求項２９】
前記試料が体液又は糞便物質を含む、請求項２８に記載の方法。
【請求項３０】
前記試料が食品又は食品からの表面スワブを含む、請求項２８に記載の方法。
【請求項３１】
請求項１〜１０のいずれか一項に記載の抗体又は抗体フラグメントと、
サルモネラの検出における使用に関する指示書と、
を備える、請求項２８〜３０のいずれか一項に記載の方法を実施するためのキット。
【請求項３２】
サルモネラ感染症の治療を必要とする非ヒト被験体においてサルモネラ感染症を治療するための医薬品を作製するための、請求項１〜１０のいずれか一項に記載の抗体又は抗体フラグメントの使用。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
エアロゾル発生装置用の発熱体モジュールであって、  加熱部分を有する細長い発熱体と、  発熱体マウントであって、前記発熱体が前記発熱体マウントの第一の表面から実質的に垂直に延びる、発熱体マウントと、  前記発熱体マウントの前記第一の表面から実質的に垂直に延び、かつ前記発熱体の第一の側面および第二の側面に隣接する第一の突起部および第二の突起部と、を備える発熱体モジュール。
【請求項２】
前記発熱体マウントの前記第一の表面から延びる前記発熱体の前記部分が、その厚さより大きいその幅より大きい長さを有し、前記加熱部分の前記第一の側面および前記第二の側面が、前記幅および前記長さによって画定される面である、請求項１に記載の発熱体モジュール。
【請求項３】
前記第一の突起部および前記第二の突起部が、前記発熱体マウントの前記第一の表面から２ｍｍ〜１０ｍｍの距離で前記加熱部分の前記長さに沿って延びる、請求項１または２に記載の発熱体モジュール。
【請求項４】
前記第一の突起部および前記第二の突起部の各々が非平面の自由表面を有する、請求項１、２、または３に記載の発熱体モジュール。
【請求項５】
前記第一の突起部および前記第二の突起部の各々の前記非平面の自由表面が球状である、請求項４に記載の発熱体モジュール。
【請求項６】
前記加熱部分が、導電性材料から形成されるトラックを支持するセラミック絶縁基体を備える、請求項１〜５のいずれか１項に記載の発熱体モジュール。
【請求項７】
電力を前記加熱部分に供給するための電気接点であって、前記電気接点が前記発熱体マウントの第二の表面から延びる、電気接点をさらに備える、請求項１〜６のいずれか１項に記載の発熱体モジュール。
【請求項８】
前記発熱体はヒーター基体をさらに備え、また前記加熱部分が、電流が前記加熱部分を通過する時に第一の部分が第二の部分より高い温度に加熱されるように構成された前記第一の部分と前記第二の部分とをさらに備え、  前記加熱部分の前記第一の部分は前記ヒーター基体の加熱領域に位置し、また前記加熱部分の前記第二の部分は前記ヒーター基体の保持領域に位置し、  かつ前記発熱体マウントと前記第一の突起部および前記第二の突起部とが、前記ヒーター基体の前記保持領域に隣接する、請求項１〜７のいずれか１項に記載の発熱体モジュール。
【請求項９】
前記加熱部分の前記第二の部分が前記第一の部分より長い、請求項８に記載の発熱体モジュール。
【請求項１０】
エアロゾル発生物品を受けるための細長いくぼみと、請求項１〜９のいずれか１項に記載の発熱体モジュールと、を備えるエアロゾル発生装置であって、前記発熱体の前記加熱部分が、前記くぼみの中に受けられたエアロゾル発生物品の中へと挿入可能なように前記くぼみの中へと延びるように配置される、エアロゾル発生装置。
【手続補正書】
【提出日】平成31年4月8日(2019.4.8)
【手続補正１】
【補正対象書類名】明細書
【補正対象項目名】００６４
【補正方法】変更
【補正の内容】
【００６４】
図６ｃ）は、ガイドチャネル１００とスロット矩形共振器２６６とによるＹ−Ｚ平面内の横断面を示す。Ｚ軸方向に当該共振空洞２６２内に突出しているアンテナ２６９の配置と、この共振空洞２６２の外側のアンテナケーブル２６９ａの配置と同様に、カラー２７２の構造が、このスロット矩形共振器２６６内で良好に認識可能である。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
グルタミン酸オキサロ酢酸トランスアミナーゼ１（ＧＯＴ１）ポリペプチド分子を含むタンパク質調製物であって、前記ＧＯＴ１ポリペプチド分子の１００％が、前記ＧＯＴ１ポリペプチドの１位にアラニンを有し、前記ＧＯＴ１ポリペプチドが、配列番号２に示されるアミノ酸配列からなり、前記ＧＯＴ１ポリペプチド分子は、前記調製物中のタンパク質の１００％を構成する、タンパク質調製物。
【請求項２】
活性な作用物質として請求項１に記載のタンパク質調製物、および薬学的に許容され得る担体を含む、薬学的組成物。
【請求項３】
過剰なグルタメートに関連する疾患または状態の処置に使用される、請求項１に記載の調製物または請求項２に記載の薬学的組成物。
【請求項４】
前記疾患または状態が脳の疾患または状態であり、前記脳の疾患が中枢神経系の癌、脳虚血および神経変性疾患からなる群より選択される、請求項３に記載の調整物または薬学的組成物。
【請求項５】
ＧＯＴ１ポリペプチドを精製する方法であって、前記方法は、
（ａ）前記ＧＯＴ１ポリペプチドおよびＳＵＭＯを含む融合タンパク質を宿主細胞において発現させる工程であって、前記ＧＯＴ１ポリペプチドのＮ末端は、前記ＳＵＭＯのＣ末端に翻訳段階で融合され、前記融合タンパク質は、前記ＳＵＭＯまたは前記ＧＯＴ１に天然には含まれないいかなるアミノ酸配列も欠く、工程；
（ｂ）前記宿主細胞を破壊し、前記融合タンパク質を放出させる工程、
（ｃ）前記融合タンパク質から前記ＳＵＭＯを除去する工程；および
（ｄ）前記宿主細胞から前記ＧＯＴ１ポリペプチドを単離する工程であって、前記単離する工程は、
（ｉ）熱処理によって前記ＧＯＴ１を精製する工程；
（ｉｉ）塩誘導沈殿によって前記ＧＯＴ１を精製する工程；
（ｉｉｉ）混合モードクロマトグラフィーによって前記ＧＯＴ１を精製する工程；
（ｉｖ）陽イオン交換クロマトグラフィーによって前記ＧＯＴ１を精製する工程；および
（ｖ）陰イオン交換クロマトグラフィーによって前記ＧＯＴ１を精製する工程
によって実施され、ここで、工程（ｃ）および（ｄ）は、工程（ａ）および（ｂ）の後に行われ、工程（ｖ）は、工程（ｉｖ）の後に行われ、工程（ｉｖ）は、工程（ｉｉｉ）の後に行われ、工程（ｉｉ）は、工程（ｉ）の後に行われるものである、工程と、を含む、方法。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
アブレーションを実施するシステムであって、
アブレーションプロセス中に、制御パラメータに従って組織をアブレートし、測定を行うアブレーション装置と、
アブレーション進行を監視するために、エラストグラフィ関連のパラメータを測定するイメージングシステムと、
フィードバックを提供するために、前記アブレーション装置から測定情報及び／又は前記エラストグラフィ関連のパラメータを受け取り、アブレーションプロセス中の個々の異なる時間に、前記イメージング装置のイメージングパラメータを適応的に調整する、パラメータ評価及び監視モジュールと、
を有するシステム。
【請求項２】
前記イメージングパラメータがプッシュ及び追跡パラメータを有する、請求項１に記載のシステム。
【請求項３】
前記アブレーション装置からの測定情報は、経過したアブレーション時間、累積的な堆積パワー、アブレーションプローブ先端部の温度及び／又はアブレーションタインの現在温度のパラメータのうちの１又は複数を有する、請求項１に記載のシステム。
【請求項４】
前記パラメータ評価及び監視モジュールが、ルックアップテーブル又はコンピュータプログラムに従って前記イメージングパラメータを調整する、請求項１に記載のシステム。
【請求項５】
ディスプレイ上のイメージングされたロケーションに対し、前記エラストグラフィ関連のパラメータをレンダリングするディスプレイモジュールを更に有する、請求項１に記載のシステム。
【請求項６】
アブレーションを実施するシステムであって、
制御信号に従って組織をアブレーションするアブレーション装置と、
エラストグラフィ測定を行うイメージングシステムと、
前記イメージング装置からのフィードバックとしてエラストグラフィ測定情報を受け取り、前記エラストグラフィ測定情報に基づいて、治療目標を達成するよう前記アブレーション装置を制御するために制御信号を調整する、パラメータ評価及び監視モジュールと、
を有するシステム。
【請求項７】
前記制御信号は、前記アブレーション装置のパワー設定の１又は複数、及び／又は前記アブレーション装置の動作モードを調整するよう構成される、請求項６に記載のシステム。
【請求項８】
前記エラストグラフィ測定情報は、せん断弾性係数、タイムツーピーク評価又はせん断速度の１又は複数を有する、請求項６に記載のシステム。
【請求項９】
前記イメージング装置からの前記フィードバックが、空間的又は時間的な測定マップ上の１又は複数のポイントからのスチフネス測定を有する、請求項６に記載のシステム。
【請求項１０】
前記制御信号の調整は、前記空間的又は時間的な測定マップ上の１又は複数のポイントからのエラストグラフィ測定を用いる、請求項９に記載のシステム。
【請求項１１】
アブレーションの方法であって、
アブレーションを開始するために被検体内にアブレーション装置及び超音波プローブを位置付けるステップと、
アブレーションプロセス中に、エラストグラフィ関連のパラメータを含む測定情報をフィードバックとして生成するステップであって、前記測定情報が、前記アブレーション装置及び超音波スキャナの少なくとも１つからの情報を含む、ステップと、
前記フィードバックに従って、前記超音波スキャナのイメージングパラメータ及び／又は前記アブレーション装置の制御信号の少なくとも１つを適応的に更新するステップと、
処置の目標が達成されると、前記アブレーションプロセスを完了するステップと、
を含む方法。
【請求項１２】
前記イメージングパラメータは、パルス繰返し周波数、追跡ロケーションの数及び／又は追跡ビーム間の間隔の１又は複数を含むプッシュ及び追跡パラメータを有する、請求項１１に記載の方法。
【請求項１３】
前記アブレーション装置から測定情報が、経過したアブレーション時間、累積的な堆積パワー、アブレーションプローブ先端部の温度及び／又はアブレーションタインの現在温度のパラメータの１又は複数を有する、請求項１１に記載の方法。
【請求項１４】
ディスプレイ上にイメージングされたロケーションに対して前記エラストグラフィ関連のパラメータを表示するステップを更に含む、請求項１１に記載の方法。
【請求項１５】
手動の変更によって、前記イメージングパラメータ及び／又はアブレーション制御パラメータをオーバーライドするステップを更に含む、請求項１１に記載の方法。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
閉塞性物質を切削し、除去するための装置であって、前記装置は、
管腔を画定するカテーテル本体であって、開口部を画定する遠位部分を備えるカテーテル本体と、
前記カテーテル本体の前記管腔内に配設され、運搬構成部品を備える、回転可能なシャフトと、
前記回転可能なシャフトに動作可能に結合され、少なくとも部分的に前記遠位部分によって取り囲まれた切削要素であって、回転によって閉塞性物質を除去する切削要素と、
前記遠位部分に配置された撮像要素とを備え、
前記遠位部分はハウジングであって、前記撮像要素は当該ハウジングに外接する、装置。
【請求項２】
前記撮像要素が超音波トランスデューサを備える、請求項１に記載の装置。
【請求項３】
前記撮像要素が光学干渉断層法（ＯＣＴ）の測定値を提供する、請求項１に記載の装置。
【請求項４】
前記超音波トランスデューサがフェーズドアレイトランスデューサである、請求項２に記載の装置。
【請求項５】
前記超音波トランスデューサが、前記超音波トランスデューサに対して遠位の面で撮像する、請求項２に記載の装置。
【請求項６】
少なくとも１つの他の切削要素をさらに備える、請求項１乃至３のいずれか一項に記載の装置。
【請求項７】
前記切削要素が、少なくとも２つのらせん状フルート溝を備える、請求項１乃至３のいずれか一項に記載の装置。
【請求項８】
前記切削要素が少なくとも１つの破砕要素を備える、請求項１乃至３のいずれか一項に記載の装置。
【請求項９】
前記破砕要素が実質的に矩形であり、負のすくい角を備える、請求項８に記載の装置。
【請求項１０】
前記カテーテル本体及び前記ハウジングが回転する、請求項１に記載の装置。
【請求項１１】
前記カテーテル本体及び前記ハウジングが前記回転可能なシャフトの反対方向に回転する、請求項１０に記載の装置。
【請求項１２】
前記カテーテル本体に動作可能に関連付けられた排出要素をさらに備え、前記排出要素は、前記切削要素によって細切除去された閉塞性物質を受け取る、請求項１乃至３のいずれか一項に記載の装置。
【請求項１３】
前記運搬構成部品が、前記回転可能なシャフトの周りに巻き付けられたらせん状のワイヤを備える、請求項１乃至３のいずれか一項に記載の装置。
【請求項１４】
閉塞性物質を切削し、除去するための装置と、
前記装置に結合されるシステムコントローラと、
画像処理のための処理コンピュータと、
を備える、撮像能力を提供するアテローム切除システムであって、
ハウジングに外接する撮像要素によって提供される画像が、前記処理コンピュータによって処理される、アテローム切除システム。
【請求項１５】
前記処理コンピュータは、不安定プラークを判別するための組織を特徴付けるために、前記撮像要素によって提供される前記画像を処理する、請求項１４に記載のアテローム切除システム。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
被験者の皮膚の表面への経皮薬物投与のためのレギュレータであって、
経皮薬物パッチに取り付けるためのコネクタと、
経皮パッチを前記被験者の皮膚に対して機械的に操作するアクチュエータであって、前記操作することは少なくとも前記被験者の皮膚からパッチの活性表面を離隔することと、前記活性表面を前記皮膚に接触させることとを含む、アクチュエータと、
前記操作を制御するために前記アクチュエータに動作可能に接続されたコントローラと
を備えるレギュレータ。
【請求項２】
前記パッチは、
ａ）所定の投薬スケジュールに従って薬物を投与するために構成された従来の経皮薬物パッチ、
ｂ）活性表面および不活性ゾーンを含み、前記コネクタは、前記不活性ゾーンにおいてパッチに取り付けられるように構成される、及び
ｃ）被験者の皮膚と接触し、前記コネクトと接触していない領域を含む、
の内の少なくとも１つを含む、請求項１に記載のレギュレータ。
【請求項３】
ａ）前記被験者の前記皮膚に取り付けるために構成された取付け面であって、前記アクチュエータが前記取付け面に対して前記コネクタを動かす、取り付け面、および
ｂ）前記デバイスが前記パッチに載置されると前記パッチの背面に接着するように構成された腹側接触面、
の内の少なとも１つを更に備える、請求項１に記載のレギュレータ。
【請求項４】
前記アクチュエータは、前記パッチを全体的に貼付し、前記パッチを部分的に貼付し、前記パッチを前記皮膚から分離させるように構成される、請求項１に記載のレギュレータ。
【請求項５】
ａ）前記パッチと前記皮膚との間の離線を方向付けるガイド、および
ｂ）前記パッチを前記皮膚から剥離するためのプラーであって、任意に前記剥離は、前記皮膚の前記表面に対して１０度〜１１０度の角度である、プラー、
の内の少なくとも１つを更に備える、請求項１に記載のレギュレータ。
【請求項６】
非貼付状態である前記パッチの一部を格納するための収納庫を更に備える、請求項１に記載のレギュレータ。
【請求項７】
ローラを更に備え、非貼付状態である前記パッチの一部を格納することは、前記一部を前記ローラに巻くことを含む、請求項６に記載のレギュレータ。
【請求項８】
ａ）前記格納中における前記パッチの活性表面を保護するための非反応性保護カバー、および
ｂ）前記ローラに巻き付けられた前記パッチの層間にあるプロテクタであって、任意に前記プロテクタは前記パッチの背面を含む、プロテクタ、
の内の少なくとも１つを更に備える、請求項６又は７に記載のレギュレータ。
【請求項９】
前記パッチは、
前記パッチの背面に取り付けられるように構成され、前記プロテクタを含むアダプタを含む、請求項１に記載のレギュレータ。
【請求項１０】
前記ローラの回転速度を、前記全体的に貼付すること、前記部分的に貼付することおよび前記分離することの内の少なくとも１つの速度と同期させるためのシンクロナイザを更に備える、請求項４に記載のレギュレータ。
【請求項１１】
前記パッチを前記デバイスに取り付ける時、前記パッチを前記デバイスと一直線にするためのアライメントデバイスを更に備える、請求項１に記載のレギュレータ。
【請求項１２】
経皮薬物パッチを介した被験者への調節された経皮薬物投与のための請求項１〜１１のいずれか１項に記載のレギュレータの使用。
【請求項１３】
ａ）投与の中断は、前記パッチの用量の少なくとも８０％を投与する前である、
ｂ）前記中断することは、３０分未満の期間にわたって前記投与の速度を少なくとも５０％低減することを含む、
ｃ）前記中断することは、前記パッチの活性ゾーンと前記被験者の皮膚との接触面積を低減することを含み、任意に前記低減は少なくとも５０％である、
ｄ）前記中断することは、前記パッチの活性ゾーンを前記被験者の皮膚から少なくとも１ｍｍ離間することを含む、
ｅ）前記中断することは、前記被験者の皮膚から前記パッチの一部を剥離することを含む、
ｆ）投与の開始は、前記パッチの活性領域の表面を前記被験者の皮膚に直接接触するように載置することを含み、任意で前記表面は前記活性領域の少なくとも半分である、
ｇ）前記中断することは、前記前記被験者の皮膚から前記パッチの一部を剥離することを含み、任意で前記剥離における離線は、ローラが接触する線である、
ｈ）所定の時間は、前記取付けの少なくとも２０分後である、
ｉ）変更された速度スケジュールで投与することは、前記パッチの活性領域の２０〜８０％を被験者の皮膚に接触させることを含む、
の内の少なくとも１つである、請求項１２に記載の使用。
【請求項１４】
ａ）中断後の所定の時間で投与を再開すること、
ｂ）前記レギュレータを前記被験者に取り付けることであって、任意で前記取り付けることは、前記パッチの活性領域を前記被検者の皮膚に直接接触させることを含む、
ｃ）所定の時間に中断または開始を実行するように前記レギュレータをプログラムすることであって、任意で前記プログラムすることは、前記投与の前に行われる、
ｄ）イベントを感知することであって、前記中断又は前記開始は前記イベントに応答し、任意で前記イベントは前記被検者の前記薬物に対する反応に関連する、
ｅ）前記中断又は前記開始を実行するように前記レギュレータに命令することであって、任意で前記命令することは、制御デバイスへ無線信号を送信することを含む、
ｆ）前記投与の後、第２の薬物の新たな投与を自動的に開始することであって、任意で前記新たな投与を開始することは、前記被験者の皮膚に前記パッチの新たなゾーンを当てることを含む、
ｇ）イベントに応答して、変更された速度スケジュールを増加又は低減することであって、任意で、前記増加することは、前記パッチの活性ゾーンと前記被験者の皮膚との接触面積を増加することにより、任意で、前記低減することは、前記パッチの活性ゾーンと前記被験者の皮膚との接触面積を低減することによる、
の内の少なくとも１つを更に含む、請求項１２に記載の使用。
【請求項１５】
被験者への前記調節された投与が、
ａ）前記パッチの投与量の１００％を投与する前に、前記レギュレータによって自動的に前記投与を中断すること、
ｂ）前記取付け後所定の時間で前記レギュレータによって自動的に前記投与を開始又は中断すること、
ｃ）前記パッチの投薬速度を下回る投薬速度を有する変更された速度スケジュールで、薬物を前記被験者に投与すること、
の内の少なくとも１つを含む、請求項１２に記載の使用。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
ａ）イソマルトを含む透明なサクサクとした外側硬質コーティングと、
ｂ）中心部であって、該中心部の外表面上に視覚可能な菓子材料の１つ以上の領域を含む、中心部と
を含む菓子製品であって、
該コーティングが、二酸化チタン、炭酸カルシウム、デンプン及びリン酸カルシウムから選択される不透明にする成分を含有しない、菓子製品。
【請求項２】
中心部が、独立して、チューインガム、フォンダン、チューイーキャンディー、硬質キャンディー、ゼリー、これらの含有物及び組合せからなる２つ以上の領域を含む、請求項１記載の菓子製品。
【請求項３】
前記硬質コーティングが、いずれの意図的に添加されたソルビトールをも含有しない、請求項１又は２記載の菓子製品。
【請求項４】
前記硬質コーティングが、イソマルト、水素化デンプン加水分解物、ポリデキストロース、及びこれらの混合物を除いて、いずれの糖又はポリオールをも含有しない、請求項１〜３のいずれか一項記載の菓子製品。
【請求項５】
前記硬質コーティングが、更に研磨されている、請求項１〜４のいずれか一項記載の菓子製品。
【請求項６】
前記硬質コーティングが、２％未満の結合剤を含有する、請求項１〜５のいずれか一項記載の菓子製品。
【請求項７】
前記硬質コーティングが、該コーティングの９０重量％超のイソマルトを含有する、請求項１〜６のいずれか一項記載の菓子製品。
【請求項８】
前記硬質コーティングが、該コーティングの０．１重量％〜５重量％の水素化デンプン加水分解物を含有する、請求項１〜７のいずれか一項記載の菓子製品。
【請求項９】
前記硬質コーティングが、該コーティングの９０重量％超についてイソマルトシロップから得られ、及び該コーティングの３重量％未満についてイソマルト粉末から得られる、請求項１〜８のいずれか一項記載の菓子製品。
【請求項１０】
中心部が、異なる色の２つ以上の領域を含む表面により特徴付けられる、請求項１〜９のいずれか一項記載の菓子製品。
【請求項１１】
少なくとも部分的に透明な容器と、該容器内に含まれる請求項１〜１０のいずれか一項記載の菓子製品の多数個とを含む梱包品。
【請求項１２】
以下：
ａ）それぞれが菓子材料の２つ以上の領域を含む、複数の中心部を提供する工程と、
ｂ）イソマルトを含む透明なサクサクとした外側硬質コーティングを提供する工程と、
ｃ）環境的に制御された条件で該コーティングされた中心部を保存する工程と
を含む、請求項１〜１０記載の菓子製品を製造するための方法であって、
該コーティングが、二酸化チタン、炭酸カルシウム、デンプン及びリン酸カルシウムから選択される不透明にする成分を含有しない、方法。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
配列番号１、６、１５〜２２、２４〜２７、２９〜３７、４２〜６４、６７及び６８からなる群から選択されるアミノ酸配列を有する単離されたポリペプチド。
【請求項２】
配列番号１５〜２０、２２、２４〜２７、３０〜３７、４２〜６４、６７及び６８の第１アミノ酸はリシン残基に置換され、配列番号２１の第１アミノ酸はアルギニンに置換され、配列番号２９の第１アミノ酸はアスパラギン酸に置換されている請求項１に記載のポリペプチド。
【請求項３】
配列番号１５〜２２、２４〜２７、３０〜３７、４２〜６４、６７及び６８の第１アミノ酸はアスパラギン酸又はグルタミン酸残基に置換され、配列番号２９の第１アミノ酸はリシン又はアルギニン残基に置換されている請求項１に記載のポリペプチド。
【請求項４】
配列番号１５〜２０、２２、２４〜２７、３０〜３７、４２〜６４、６７又は６８のアミノ酸配列はＮ末端に１４個以下のアルギニン残基をさらに含み、配列番号２１のアミノ酸配列はＮ末端に１４個以下のリシン残基をさらに含み、配列番号２９のアミノ酸配列は１４個以下のグルタミン酸残基をさらに含む請求項１に記載のポリペプチド。
【請求項５】
前記ポリペプチドのＮ又はＣ−末端は、非反応性基で置き換えられたものである、請求項１乃至４のいずれか一項に記載のポリペプチド。
【請求項６】
請求項１乃至４のいずれか一項に記載のポリペプチドをコードする、核酸分子。
【請求項７】
請求項６に記載の核酸分子を含む、ベクター。
【請求項８】
物質の接着性の向上のための請求項１乃至４のいずれか一項に記載のポリペプチドの使用。
【請求項９】
請求項１乃至４のいずれか一項に記載のポリペプチドを含む接着用組成物。
【請求項１０】
第１の生物学的若しくは非生物学的物質、及び／又は第２の生物学的若しくは非生物学的物質に請求項１に記載のポリペプチドを処理することにより、前記第１の生物学的若しくは非生物学的物質を第２の生物学的若しくは非生物学的物質に付着させる方法。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
液滴の少なくとも約９０％が１つの粒子を含むか、または粒子を含まないような、粒子を含む複数の液滴であって、該粒子がオリゴヌクレオチドを含み、該オリゴヌクレオチドが、実質的に各粒子が識別可能なバーコード配列を含むように、第１のバーコードの所定のプールから選択される第１のバーコードおよび第２のバーコードの所定のプールから選択される第２のバーコードであるバーコード配列を含む、粒子を含む複数の液滴を提供すること；および
該オリゴヌクレオチドに核酸配列を結合させること
を含む、方法。
【請求項２】
粒子がヒドロゲル粒子である、請求項１に記載の方法。
【請求項３】
識別可能なバーコード配列が、少なくとも１，０００、少なくとも３，０００、少なくとも１０，０００または少なくとも１００，０００の識別可能なバーコード配列である、請求項１または２に記載の方法。
【請求項４】
核酸配列が、ゲノムＤＮＡに結合するように構成されている、請求項１から３のいずれか一項に記載の方法。
【請求項５】
ゲノムＤＮＡがヒトゲノムＤＮＡである、請求項４に記載の方法。
【請求項６】
該粒子からオリゴヌクレオチドの少なくともいくつかを遊離すること、場合により開裂可能なリンカーを介して遊離することをさらに含む、請求項１から５のいずれか一項に記載の方法。
【請求項７】
該液滴の少なくとも約９５％が、１つのヒドロゲル粒子を含むか、またはヒドロゲル粒子を含まない、請求項１から６のいずれか一項に記載の方法。
【請求項８】
前記オリゴヌクレオチドに結合した核酸配列を、複数の細胞から得られる核酸に暴露することをさらに含む、請求項１から７のいずれか一項に記載の方法。
【請求項９】
複数の細胞が、複数の液滴の少なくともいくつかに存在する、請求項８に記載の方法。
【請求項１０】
液滴内の細胞の少なくともいくつかを溶解することをさらに含む、請求項８または９に記載の方法。
【請求項１１】
液滴内の細胞の少なくともいくつかを細胞溶解試薬を用いて溶解することを含む、請求項１０に記載の方法。
【請求項１２】
該オリゴヌクレオチドに核酸配列を結合させる工程が、
アダプター配列を、相補的アダプター配列およびプライマーを含む配列に曝露すること；
プライマーを該プライマーの標的を含む核酸配列に暴露すること；および
増幅させて、第１のバーコード、第２のバーコードおよび核酸配列を含むオリゴヌクレオチドを作製すること、
を含む、請求項１から１１のいずれか一項に記載の方法。
【請求項１３】
第１のバーコードの所定のプールから選択される第１のバーコード、第２のバーコードの所定のプールから選択される第２のバーコード、およびアダプター配列を含むオリゴヌクレオチドを付着させた複数の粒子を提供すること；および
該アダプター配列を介してオリゴヌクレオチドに核酸配列を結合させること
を含む、方法。
【請求項１４】
複数の微小流体液滴内に複数の細胞および複数の粒子を封入すること（ここで、少なくとも１０，０００の液滴のそれぞれが、該複数の液滴の他の液滴中に含まれるオリゴヌクレオチドと識別可能な１以上のオリゴヌクレオチドを含むように、各粒子が実質的にオリゴヌクレオチドおよびそれに共有結合した核酸配列を含む）；および
液滴内で少なくともいくつかの細胞を溶解させて、該細胞から核酸を遊離させること（ここで、該核酸配列が、少なくともいくつかの遊離された核酸と相互作用できる部分を含む）
を含む、方法。
【請求項１５】
細胞を含む少なくとも１０，０００の微小流体液滴を提供すること（ここで、該複数の液滴の少なくとも約９０％が細胞を含むか、または細胞を含まない）；
複数の微小流体液滴内で細胞を溶解させて、該細胞から核酸を遊離させること；および
オリゴヌクレオチドに結合した該液滴内の選択的に増幅された核酸を産生すること（ここで、液滴の少なくとも約９０％について、液滴内のオリゴヌクレオチドは、複数の液滴の他の液滴中のオリゴヌクレオチドと識別可能である）
を含む、方法。
【請求項１６】
液滴の１０％以下が２以上の細胞を含むような細胞を含む少なくとも約１０，０００の微小流体液滴を提供すること、
複数の液滴内の細胞を溶解して該細胞から核酸を遊離させること；および
遊離された核酸の部分を液滴内で選択的に増幅させて、増幅部分および液滴特異的バーコードを含む配列を作製すること
を含む、方法。
【請求項１７】
液滴の１０％以下が２以上の細胞を含むような細胞を含む複数の液滴を提供すること；
複数の液滴内の細胞を溶解して該細胞から核酸を遊離させること；および
遊離された核酸の部分を液滴内で選択的に増幅させて、増幅部分および少なくとも１０，０００の識別可能なバーコードのプールから選択されたバーコードを含む配列を作製すること
を含む、方法。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
ワイヤレスノードによるワイヤレス通信のための方法であって、
複数の変調およびコーディング方式(MCS)と、干渉制御パラメータとを基地局から受信するステップであって、それぞれの干渉制御パラメータが前記複数のMCSのうちの1つに関連する、ステップと、
前記複数のMCSから選択されたMCSと、前記選択されたMCSに関連する前記干渉制御パラメータとに基づいて、無許可送信のためのデータレートおよび持続時間を決定するステップと、
無許可送信のために複数のワイヤレスノードによって共有されるように構成されるリソースの共通プールから前記無許可送信のために使用するためにアクセスリソースを選択するステップと、
前記決定されたデータレートで前記決定された持続時間の間、前記選択されたアクセスリソースを使用して前記無許可送信を送信するステップと
を備える、方法。
【請求項２】
前記データレートを決定するステップが、
前記MCSのうちの1つまたは複数の各々に関連する送信電力を計算するステップと、
前記無許可送信のために使用される送信電力を超えない計算された送信電力に関連するMCSを選択するステップと
を備える、請求項1に記載の方法。
【請求項３】
MCSに関連する前記干渉制御パラメータが、前記MCSを使用した無許可送信のための最大持続時間を示し、
前記無許可送信のための前記持続時間を決定するステップが、前記選択されたMCSに関連する無許可送信のための前記示された最大持続時間を超えない前記無許可送信の持続時間を選択するステップを備える、
請求項1に記載の方法。
【請求項４】
MCSに関連する前記干渉制御パラメータが、前記MCSを使用した無許可送信のための最大ペイロードサイズを示し、
前記無許可送信の前記持続時間を決定するステップが、前記選択されたMCSを使用した前記無許可送信のための前記示された最大ペイロードサイズを超えないペイロードサイズに対応する持続時間を決定するステップを備える、
請求項1に記載の方法。
【請求項５】
前記無許可送信が、複数のコンポーネントキャリア(CC)を使用して送信され、
前記無許可送信のための前記データレートおよび前記持続時間が、CCごとに決定される、
請求項1に記載の方法。
【請求項６】
複数のキャリアを介して前記無許可送信を送信するステップが、
第1の決定されたデータレートと第1の決定された持続時間とを使用して第1のCC上で前記無許可送信の第1の部分を送信するステップと、
第2の決定されたデータレートと第2の決定された持続時間とを使用して第2のCC上で前記無許可送信の第2の部分を送信するステップと
を備える、請求項5に記載の方法。
【請求項７】
前記無許可送信が、単一のコンポーネントキャリア(CC)を使用して送信される、請求項1に記載の方法。
【請求項８】
前記アクセスリソースが、スクランブリングコードまたはインターリーバと、アクセス時間とを備える、請求項1に記載の方法。
【請求項９】
前記無許可送信とともに前記ワイヤレスノードの識別情報を含むステップをさらに備える、請求項1に記載の方法。
【請求項１０】
ワイヤレスノードによるワイヤレス通信のための装置であって、
複数の変調およびコーディング方式(MCS)と、干渉制御パラメータとを基地局から受信するための手段であって、それぞれの干渉制御パラメータが前記複数のMCSのうちの1つに関連する、手段と、
前記複数のMCSから選択されたMCSと前記選択されたMCSに関連する前記干渉制御パラメータとに基づいて、無許可送信のためのデータレートおよび持続時間を決定するための手段と、
無許可送信のために複数のワイヤレスノードによって共有されるように構成されるリソースの共通プールから前記無許可送信のために使用するためにアクセスリソースを選択するための手段と、
前記決定されたデータレートで前記決定された持続時間の間、前記選択されたアクセスリソースを使用して前記無許可送信を送信するための手段と
を備える、装置。
【請求項１１】
前記データレートを前記決定するための手段が、
前記MCSのうちの1つまたは複数の各々に関連する送信電力を計算するための手段と、
前記無許可送信のために使用される送信電力を超えない計算された送信電力に関連するMCSを選択するための手段と
を備える、請求項10に記載の装置。
【請求項１２】
MCSに関連する前記干渉制御パラメータが、無許可送信のための最大持続時間を示し、
前記無許可送信のための前記持続時間を前記決定するための手段が、前記選択されたMCSに関連する無許可送信のための前記示された最大持続時間を超えない前記無許可送信の持続時間を選択するための手段を備える、
請求項10に記載の装置。
【請求項１３】
MCSに関連する前記干渉制御パラメータが、前記MCSを使用した無許可送信のための最大ペイロードサイズを示し、
前記無許可送信の前記持続時間を前記決定するための手段が、前記選択されたMCSを使用した前記無許可送信のための前記示された最大ペイロードサイズを超えないペイロードサイズに対応する持続時間を決定するための手段を備える、
請求項10に記載の装置。
【請求項１４】
前記無許可送信が、複数のコンポーネントキャリア(CC)を使用して送信され、
前記無許可送信のための前記データレートおよび前記持続時間が、CCごとに決定され
複数のキャリアを介して前記無許可送信を送信するための手段が、
第1の決定されたデータレートと第1の決定された持続時間とを使用して第1のCC上で前記無許可送信の第1の部分を送信するための手段と、
第2の決定されたデータレートと第2の決定された持続時間とを使用して第2のCC上で前記無許可送信の第2の部分を送信する手段と
を備える、
請求項10に記載の装置。
【請求項１５】
請求項1〜9のいずれか一項に記載の方法を実行するために記憶されたコンピュータ実行可能コードを有する、コンピュータ可読記憶媒体。
【手続補正書】
【提出日】平成31年1月11日(2019.1.11)
【手続補正１】
【補正対象書類名】特許請求の範囲
【補正対象項目名】請求項６
【補正方法】変更
【補正の内容】
【請求項６】
前記透光性母材は当該照明装置の最大動作電力において母材温度Ｔmaxを有し、前記熱応答性液晶化合物がＴmax[℃]の１５〜８５％の範囲から選択された転移温度を有する、請求項１ないし５の何れか一項に記載の照明装置。